(57)【特許請求の範囲】
【請求項１】
現像剤を収容可能な筐体であって、
貫通孔を有する第１壁と、前記第１壁と第１方向に離れた第２壁とを有する第１フレームと、
前記第１壁と前記第２壁とに接触する第２フレームであって、前記第１壁の外側面に沿って延びる延部を有する第２フレームと、
を有する筐体と、
前記筐体に回転可能に支持され、前記第１方向に沿った第１軸を中心に回転可能な現像ローラと、
前記筐体内の現像剤を撹拌可能な撹拌部材であって、前記第１方向に沿った第２軸を中心に回転可能な撹拌部材と、
前記貫通孔に配置される窓部材と、を備え、
前記貫通孔は、前記第２軸と前記第２フレームとの間に配置され、
前記窓部材は、少なくとも一部が前記第１壁と前記延部の間に配置され、前記第１壁と前記延部とで支持されていることを特徴とする現像カートリッジ。
【請求項２】
前記延部は、前記第１壁の外側面に沿って、前記貫通孔に向かって延び、
前記窓部材は、前記延部と前記第１壁とに挟まれていることを特徴とする請求項１に記載の現像カートリッジ。
【請求項３】
前記延部は、前記第１壁の外側面に沿って、前記貫通孔に向かって延び、
前記窓部材は、前記延部と、前記第１壁とにより固定されていることを特徴とする請求項１に記載の現像カートリッジ。
【請求項４】
前記窓部材は、窓本体部と、前記窓本体部の周りの少なくとも一部から、前記第１壁に沿って延びた窓フレームとを備え、
前記窓フレームの少なくとも一部は、前記第１壁と前記延部の間に配置され、前記第１壁と前記延部とで支持されていることを特徴とする請求項１から請求項３のいずれか１項に記載の現像カートリッジ。
【請求項５】
前記窓フレームは、
前記窓本体部の周りの少なくとも一部から、前記第１壁に沿って第２方向に延びた第１窓フレームと、
前記窓本体部の周りの少なくとも一部から、前記第１壁に沿って前記第２方向と反対の第３方向に延びた第２窓フレームと、
を備え、
前記延部は、前記第１壁の外側面に沿って延びる第１延部と、前記第１壁の外側面に沿って延びる第２延部とを備え、
前記第１窓フレームの少なくとも一部が、前記第１壁と前記第１延部との間に配置され、前記第１壁と前記第１延部とで支持され、
前記第２窓フレームの少なくとも一部が、前記第１壁と前記第２延部との間に配置され、前記第１壁と前記第２延部とで支持されることを特徴とする請求項４に記載の現像カートリッジ。
【請求項６】
前記第１延部と前記第２延部には、それぞれ第１リブが設けられていることを特徴とする請求項５に記載の現像カートリッジ。
【請求項７】
前記窓部材は、前記貫通孔の径方向外側へ、前記窓フレームから延びる突出部を有し、
前記第１壁は、前記突出部に当接し、前記窓部材の動きを規制する規制部を有することを特徴とする請求項１から請求項６のいずれか１項に記載の現像カートリッジ。
【請求項８】
前記第１壁は、前記貫通孔の周縁に沿って、前記第１壁の外側面から外側に向かって延びる第２リブを備え、
前記第２リブは、前記貫通孔の周縁に沿って徐々に、前記第２リブの長さが短くなる傾斜面を有し、
前記傾斜面は、前記窓部材の取り付けをガイドすることを特徴とする請求項１から請求項７のいずれか１項に記載の現像カートリッジ。
【発明の詳細な説明】
【技術分野】
【０００１】
本開示は、窓部材を有する現像カートリッジに関する。
【背景技術】
【０００２】
従来、窓部材が設けられた現像カートリッジが知られている。現像カートリッジは、筐体の外面に、窓部材で構成された外部から現像剤の残量を検知する検知窓が設けられている。例えば、特許文献１で開示されている現像カートリッジは、第１フレームと第２フレームとから構成されている。第１フレームは、トナーを収容する容器状のフレームであり、上側が開いている。第２フレームは、第１フレームの蓋として用いられる。そして、第１フレームの側壁には孔が開けられている。窓部材は、孔に嵌合されている。そして、現像カートリッジは、筐体内に回転可能な撹拌部材を有する。この現像カートリッジでは、撹拌部材が回転したときに現像カートリッジ内で舞った現像剤の量を、窓部材を介して検知可能となっている。
【先行技術文献】
【特許文献】
【０００３】
【特許文献１】特開２０１０−１０７６１９号公報
【発明の概要】
【発明が解決しようとする課題】
【０００４】
ところで、現像剤の収容量が多い現像カートリッジの場合、現像剤が現像カートリッジに多く収容可能なため、例えば、撹拌部材よりも現像カートリッジの底面に近い位置では、現像剤が収容された状態が長く続く。この場合、窓部材が撹拌部材よりも現像カートリッジの底面に近い位置にあると、窓部材を介して、撹拌部材によって現像剤を舞わせた現像剤の量を検知するということができない。そのため、窓部材の位置を撹拌部材よりも第２フレームに近い位置に設けることが考えられる。
【０００５】
しかしながら、第１フレームの側面には、現像カートリッジを動作させるために必要な各種部材が設けられている。このため、第１フレームの側面には限られたスペースしか無く、第１フレームに窓部材を支持するための構成を設けることが難しい。
【０００６】
そこで、本発明は、上記した現像剤の収容量が多い現像カートリッジであっても、窓部材を第１フレームの側面に支持可能な現像カートリッジを提供することを目的とする。
【課題を解決するための手段】
【０００７】
前記した目的を達成するため、本開示の現像カートリッジは、現像剤を収容可能な筐体であって、貫通孔を有する第１壁と、第１壁と第１方向に離れた第２壁とを有する第１フレームと、第１壁と第２壁とに接触する第２フレームであって、第１壁の外側面に沿って延びる延部を有する第２フレームと、を有する筐体と、筐体に回転可能に支持され、第１方向に沿った第１軸を中心に回転可能な現像ローラと、筐体内の現像剤を撹拌可能な撹拌部材であって、第１方向に沿った第２軸を中心に回転可能な撹拌部材と、貫通孔に配置される窓部材と、を備えている。
そして、貫通孔は、第２軸と第２フレームとの間に配置され、窓部材は、少なくとも一部が第１壁と延部の間に配置され、第１壁と延部とで支持されている。
【０００８】
このように構成された現像カートリッジによれば、第２フレームに備えられた延部により、窓部材を支持することができるので、第１壁との間で窓部材を支持する部分を第１フレームに設けなくても、窓部材を第１フレームの側面に支持可能である。
【０００９】
前記した現像カートリッジにおいて、延部は、第１壁の外側面に沿って、貫通孔に向かって延び、窓部材は、延部と第１壁とに挟まれていてもよい。
【００１０】
前記した現像カートリッジにおいて、延部は、第１壁の外側面に沿って、貫通孔に向かって延び、窓部材は、延部と、第１壁とにより固定されていてもよい。
【００１１】
前記した現像カートリッジにおいて、窓部材は、窓本体部と、窓本体部の周りの少なくとも一部から、第１壁に沿って延びた窓フレームとを備え、窓フレームの少なくとも一部は、第１壁と延部の間に配置され、第１壁と延部とで支持されていることが望ましい。
【００１２】
これによれば、延部が窓本体部にかからないので、光が延部に遮られずに窓本体部を通過することができる。
【００１３】
前記した現像カートリッジにおいて、窓フレームは、窓本体部の周りの少なくとも一部から、第１壁に沿って第２方向に延びた第１窓フレームと、窓本体部の周りの少なくとも一部から、第１壁に沿って第２方向と反対の第３方向に延びた第２窓フレームと、を備え、延部は、第１壁の外側面に沿って延びる第１延部と、第１壁の外側面に沿って延びる第２延部とを備え、第１窓フレームの少なくとも一部が、第１壁と１延部との間に配置され、第１壁と第１延部とで支持され、第２窓フレームの少なくとも一部が、第１壁と第２延部との間に配置され、第１壁と第２延部とで支持されることが望ましい。
【００１４】
これによれば、窓本体部の第２方向側と第３方向側（窓本体部の両側）で延部が窓フレームに被さり、窓部材を支持することができる。
【００１５】
そして、この場合、第１延部と第２延部には、それぞれ第１リブが設けられていることが望ましい。
【００１６】
これによれば、第１延部と第２延部が第１リブで補強されるので、第１延部と第２延部が破損するのを抑制することができる。
【００１７】
前記した現像カートリッジにおいて、窓部材は、貫通孔の径方向外側へ、窓フレームから延びる突出部を有し、第１壁は、突出部に当接し、窓部材の動きを規制する規制部を有することが望ましい。
【００１８】
これによれば、窓部材が動くのを抑えることができる。
【００１９】
前記した現像カートリッジにおいて、第１壁は、貫通孔の周縁に沿って、第１壁の外側面から外側に向かって延びる第２リブを備え、第２リブは、貫通孔の周縁に沿って徐々に、第２リブの長さが短くなる傾斜面を有し、傾斜面は、窓部材の取り付けをガイドするように構成されていてもよい。
【発明の効果】
【００２０】
本開示によれば、第２フレームに備えられた延部により、窓部材を支持することができるので、第１壁との間で窓部材を支持する部分を第１フレームに設けなくても、窓部材を第１フレームの側面に支持可能である。
【図面の簡単な説明】
【００２１】
【図１】本開示の一実施形態の現像カートリッジの断面図である。
【図２】筐体、現像ローラ、窓部材およびシール部材を示す分解斜視図である。
【図３】貫通孔周辺の構成を拡大して示す分解斜視図である。
【図４】筐体に取り付けられた窓部材を示す側面図（ａ）と、（ａ）のＩ−Ｉ断面図（ｂ）である。
【図５】窓部材の組み付け方を説明するための図である。
【発明を実施するための形態】
【００２２】
次に、本開示の一実施形態について、図面を参照しながら詳細に説明する。なお、以下の説明においては、図１から図５に示す上下方向、前後方向、および、左右方向を基準として説明する。
【００２３】
図１および図２に示すように、現像カートリッジ１は、レーザプリンタ等の画像形成装置に装着されるカートリッジである。図１に示すように、現像カートリッジ１は、現像ローラ２と、供給ローラ３と、層厚規制ブレード４と、撹拌部材５と、筐体６と、を備える。筐体６は、現像ローラ２と、供給ローラ３と、層厚規制ブレード４と、撹拌部材５とを支持する。
【００２４】
筐体６は、トナー収容室６１を有する。トナー収容室６１は、トナーを収容可能である。なお、トナーは、現像剤の一例である。そして、筐体６は、後側面に開口６２を有する。
【００２５】
現像ローラ２は、トナーを担持可能なローラである。現像ローラ２は、左右方向に延びている。現像ローラ２は、シャフト２１と、ローラ本体２２とを備える。シャフト２１は、左右方向に延びる。ローラ本体２２は、シャフト２１を覆う円筒状の部材である。ローラ本体２２は、シャフト２１を中心にして回転可能であり、シャフト２１の回転と共に回転可能である。シャフト２１は、筐体６に回転可能に支持されている。なお、シャフト２１は、筐体６に直接回転可能に支持されても良い。また、シャフト２１がベアリングに回転可能に取り付けられ、ベアリングが筐体６に支持されても良い。これにより、現像ローラ２は、シャフト２１の中心を通る第１方向の一例としての左右方向に沿った第１軸Ｘ１（図１および図２参照）を中心に回転可能となっている。なお、現像ローラ２は、ローラ本体２２の表面が筐体６の開口６２を塞ぐ位置に配置される。
【００２６】
供給ローラ３は、トナーを現像ローラ２に供給可能なローラである。供給ローラ３は、左右方向に延びている。供給ローラ３は、前後方向において筐体６内の現像ローラ２とトナー収容室６１の間に位置する。層厚規制ブレード４は、現像ローラ２上のトナーの厚さを規制可能な部材である。層厚規制ブレード４は、基端が筐体６に固定され、先端が現像ローラ２に接触している。
【００２７】
撹拌部材５は、トナー収容室６１内に配置される。撹拌部材５は、軸部５１および撹拌翼５２を備えている。軸部５１は、左右方向に延び、筐体６に回転可能に支持されている。なお、軸部５１は、筐体６に直接回転可能に支持されていても良い。また、軸部５１がベアリングに回転可能に取り付けられ、ベアリングが筐体６に支持されても良い。撹拌翼５２は、軸部５１が回転したときに軸部５１を中心に旋回するように設けられている。撹拌部材５は、軸部５１の中心を通る左右方向に沿った第２軸Ｘ２を中心に回転可能である。そして、撹拌部材５は、回転することにより、トナー収容室６１内のトナーを撹拌可能となっている。
【００２８】
筐体６は、第１フレーム１００と、第２フレーム２００とを有している。第１フレーム１００は、トナーを収容可能な容器状のフレームであり、上側が開いている。第２フレーム２００は、第１フレーム１００の蓋として用いられ、第１フレーム１００の上に被さる。第１フレーム１００と第２フレーム２００は、互いに接触することで、トナー収容室６１を形成している。
【００２９】
また、筐体６は、トナーエンプティ窓３１１を備えている。トナーエンプティ窓３１１は、外部からトナー収容室６１内のトナーの残量を検知するための透明部材である。なお、図１の例では、筐体６の左側に設けられたトナーエンプティ窓３１１を図示しているが、筐体６の右側にもトナーエンプティ窓３１１は設けられている。なお、トナーエンプティ窓３１１の詳細は後述する。例えば、画像形成装置には、一方のトナーエンプティ窓３１１の外側に配置された図示しない発光部と、他方のトナーエンプティ窓３１１の外側に配置された図示しない受光部とからなる公知の光センサが設けられる。光センサは、トナーエンプティ窓３１１を介して発光部が発した光を検出することで、トナー収容室６１内のトナーの残量を検出するようになっている。
【００３０】
第１フレーム１００は、現像ローラ２、供給ローラ３および撹拌部材５を支持するフレームである。図２に示すように、第１フレーム１００は、第１壁１１０と第２壁１２０とを有する。第１壁１１０と第２壁１２０とは、左右方向において離れている。また、第１壁１１０と第２壁１２０とは左右方向で対向している。第１フレーム１００は、さらに、底壁１３０と前壁１４０とを有する。底壁１３０は、第１壁１１０と第２壁１２０の間に位置する。また、前壁１４０は、第１壁１１０と第２壁１２０の間に位置する。第１フレーム１００は、樹脂から形成される。
【００３１】
第１壁１１０は、現像ローラ２の右端部を支持している。第１壁１１０は、上端に第１フランジ部１１１を有する。第１フランジ部１１１は、左右方向に延びている。第２壁１２０は、現像ローラ２の左端部を支持している。第２壁１２０は、上端に第２フランジ部１２１を有する。第２フランジ部１２１は、左右方向に延びている。なお、第１フランジ部１１１は、凹部１１１Ａを有する。凹部１１１Ａは、貫通孔１１２の上側に位置する。凹部１１１Ａは、第１フランジ部１１１の右側から左側に向けて凹んでいる。凹部１１１Ａには、後述する延部２２０が配置される。また、第２フランジ部１２１は、凹部１２１Ａを有する。凹部１２１Ａは、貫通孔１２２の上側に位置する。凹部１２１Ａは、第２フランジ部１２１の左側から右側に向けて凹んでいる。凹部１２１Ａには、後述する延部２２０が配置される。
【００３２】
底壁１３０は、トナー収容室６１の底となる壁である。底壁１３０は、第１壁１１０と第２壁１２０の下端同士を繋いでいる。前壁１４０は、トナー収容室６１の前側を覆う壁であり、第１壁１１０と第２壁１２０の前端同士を繋いでいる。前壁１４０の上端は、第１壁１１０の上端と第２壁１２０の上端と同じ高さに位置している。そして、前壁１４０は、上端に第３フランジ部１４１を有する。第３フランジ部１４１は、前後方向へ延びる。
【００３３】
第２フレーム２００は、本体部２１０を有する。本体部２１０は、板状である。本体部２１０は、第１フランジ部１１１、第２フランジ部１２１および第３フランジ部１４１に接触している。そして、本体部２１０は、第１フランジ部１１１、第２フランジ部１２１および第３フランジ部１４１に溶着等により固定されている。これにより、本体部２１０は、第１壁１１０、第２壁１２０および前壁１４０のそれぞれの上端を繋ぐ。
【００３４】
第１壁１１０は、貫通孔１１２を有する。また、第２壁１２０は、貫通孔１２２を有する。貫通孔１１２および貫通孔１２２は、円形の孔である。貫通孔１１２と貫通孔１２２とは、左右方向において、互いに対向する位置に設けられる。また、図１および図２に示すように、貫通孔１１２は、第１壁１１０の上端部に設けられる。具体的には、貫通孔１１２は、撹拌部材５の軸部５１の上側に位置し、上下方向において軸部５１（第２軸Ｘ２）と第２フレーム２００との間に設けられる。なお、貫通孔１１２は、上下方向において軸部５１と第２フレーム２００の間に設けられていれば、前後方向において軸部５１に対してずれていても良い。
【００３５】
現像カートリッジ１は、さらに、窓部材３００とシール部材４００とを備える。窓部材３００とシール部材４００とは、貫通孔１１２に対して取り付けられる。なお、図２は、第１壁１１０に取り付けられる窓部材３００とシール部材４００とを示している。図示していないが、第２壁１２０の貫通孔１２２にも、窓部材３００とシール部材４００とが取り付けられる。
【００３６】
また、図２に示すように、第２フレーム２００は、延部２２０を有する。延部２２０は、本体部２１０の右側の端部に設けられる。さらに、延部２２０は、前後方向において、貫通孔１１２に対応する位置に設けられる。延部２２０は、本体部２１０から第１フレーム１００へ向けて突出している。延部２２０は、例えば、本体部２１０から第１フレーム１００へ向けて突出する板である。なお、延部２２０は、板形状の部材であっても良い。図２では図示していないが、延部２２０は、本体部２１０の左側の端部にも設けられる。さらに、延部２２０は、前後方向において、貫通孔１２２に対応する位置に設けられる。なお、本実施形態では、右側の貫通孔１１２、窓部材３００、シール部材４００、及び、延部２２０と、左側の貫通孔１１２、窓部材３００、シール部材４００、及び、延部２２０とは同じ構成のため、代表して、右側の貫通孔１１２、窓部材３００、シール部材４００、及び、延部２２０とを用いて詳細を説明する。
【００３７】
図３に示すように、第１壁１１０は、貫通孔１１２の周囲に、円筒部１５０と、規制部１６０と、第２リブ１７０とを有している。
【００３８】
円筒部１５０は、第１壁１１０の外側面から左右方向に向けて突出し、貫通孔１１２を囲む。円筒部１５０の内径は、貫通孔１１２の径よりも大きい。本実施形態では、図３に示すように、貫通孔１１２の周囲の一部は、円筒部１５０により囲まれていないが、円筒部１５０が貫通孔１１２の全周にわたって連続して設けられていてもよい。
【００３９】
規制部１６０は、第１規制部１６１と、第２規制部１６２と、第３規制部１６３と、第４規制部１６４とを有する。第１規制部１６１と第２規制部１６２とは、貫通孔１１２に対して後側に配置される。第３規制部１６３と第４規制部１６４とは、貫通孔１１２に対して前側に配置される。第１規制部１６１と第２規制部１６２と、第３規制部１６３と、第４規制部１６４のそれぞれは、第１壁１１０の外側面から突出する突起である。
【００４０】
第１規制部１６１と第２規制部１６２は、上下方向に並んでいる。具体的に、第２規制部１６２は、第１規制部１６１の下側に位置する。第１規制部１６１は、円筒部１５０の外側に設けられ、かつ、円筒部１５０から離れている。また、第１規制部１６１は、前後方向に延びる面を有する。第２規制部１６２は、第１面１６２Ａと、第２面１６２Ｂとを有する。第１面１６２Ａは、円筒部１５０の外周面から後側に延び、上を向いている。第２面１６２Ｂは、第１面１６２Ａの後端部から前後方向に延び、上を向いている。さらに、第２面１６２Ｂは、左右方向において、第１壁１１０の外側面から、第１面１６２Ａよりも突出している。上下方向から見ると、第２規制部１６２は、略Ｌ字状である。第２面１６２Ｂは、第１規制部１６１と上下方向で対向し、かつ、円筒部１５０から離間している。
【００４１】
第３規制部１６３と第４規制部１６４は、上下方向に並んでいる。具体的に、第４規制部１６４は、第３規制部１６３の下側に位置する。第３規制部１６３は、円筒部１５０の外側に設けられ、かつ、円筒部１５０から離れて配置される。また、第３規制部１６３は、前後方向に延びる面を有する。第４規制部１６４は、円筒部１５０の外周面から前側に向けて延び、かつ、第４規制部１６４の前端部が第３規制部１６３と上下方向で対向している。
【００４２】
第２リブ１７０は、貫通孔１１２の下側に設けられ、円筒部１５０の外側に設けられる。第２リブ１７０は、第１壁１１０の外側面から左右方向に延びる。第２リブ１７０は、円筒部１５０の外周面の一部に沿って延びる円弧形状である。第２リブ１７０は、第２規制部１６２の下側から円筒部１５０の周縁に沿って前方へ向けて延び、そして、第４規制部１６４に繋がっている。
【００４３】
第２リブ１７０は、第１リブ部１７１と、第２リブ部１７２と、第３リブ部１７３とを有する。第２リブ部１７２は、左右方向において、第１壁１１０の外側面から、第１リブ部１７１および第３リブ部１７３よりも突出している。第１リブ部１７１は、第２リブ部１７２の前端部から円筒部１５０の外周面の一部に沿って延びている。左右方向において、第１壁１１０の外側面からの第１リブ部１７１の突出量は、一定の長さである。なお、左右方向において、第１壁１１０の外側面からの第１リブ部１７１の突出量は、第１壁１１０の外側面からの第２リブ部１７２の突出量よりも小さければ一定でなくても良い。左右方向における第１リブ部１７１の先端部には、先端面１７１Ａが設けられる。第３リブ部１７３は、第１リブ部１７１の前端部から第４規制部１６４に向かうほど突出量が小さくなる。左右方向における第３リブ部１７３の先端部には、傾斜面１７３Ａが設けられる。第３リブ部１７３の前端部の突出量は、第４規制部１６４の突出量と略等しい。
【００４４】
窓部材３００は、透明な樹脂からなる。窓部材３００は、窓本体部３１０と、窓フレーム３２０と、第１突出部３３０と、第２突出部３４０と、ツマミ部３５０とを一体に有している。なお、第１突出部３３０と第２突出部３４０とは、突出部の一例である。
【００４５】
窓本体部３１０は、底を有する円筒状に形成されている。窓本体部３１０は、図４（ａ）,（ｂ）に示すように、トナーエンプティ窓３１１と、筒部３１２とを有する。トナーエンプティ窓３１１は、円形である。筒部３１２は、トナーエンプティ窓３１１の円周縁から左右方向に延びる。窓本体部３１０の外径は、貫通孔１１２の径と略同じである。
【００４６】
窓フレーム３２０は、左右方向においてトナーエンプティ窓３１１と反対側に設けられている。窓フレーム３２０は、筒部３１２の右側の端部から、筒部３１２の径方向外側へ第１壁１１０の外側面に沿って延びる。窓フレーム３２０は、図３に示すように、筒部３１２の全周にわたって設けられている。
【００４７】
窓フレーム３２０は、第１窓フレーム３２１と、第２窓フレーム３２２とを有する。第１窓フレーム３２１は、窓本体部３１０から、第１壁１１０に沿って後側へ向かう第２方向に延びる。第２窓フレーム３２２は、窓本体部３１０から第１壁１１０に沿って第２方向とは反対の前側へ向かう第３方向に延びる。
【００４８】
第１突出部３３０は、第１窓フレーム３２１から窓本体部３１０の径方向外側へ延びている。具体的に、第１突出部３３０は、第１窓フレーム３２１から第１壁１１０側へ延び、さらに、後側へ向けて延びている。これにより、第１突出部３３０の先端部は、窓フレーム３２０よりも第１壁１１０側に位置している。
【００４９】
第２突出部３４０は、左右方向において、窓本体部３１０に対し、第１突出部３３０と反対側に設けられている。第２突出部３４０は、第２窓フレーム３２２から窓本体部３１０の径方向外側へ延びている。具体的に、第２突出部３４０は、第２窓フレーム３２２から第１壁１１０側へ延び、さらに、前側へ向けて延びる。これにより、第２突出部３４０の先端部は、窓フレーム３２０よりも第１壁１１０側に位置している。
【００５０】
ツマミ部３５０は、窓フレーム３２０上に設けられる。ツマミ部３５０は、窓フレーム３２０から左右方向に突出する突起である。ツマミ部３５０は、窓フレーム３２０の周方向に離れて２つ設けられる。
【００５１】
図３および図４（ｂ）に示すように、シール部材４００の内径は、窓本体部３１０の外径よりもやや小さい。また、シール部材４００の外径は、円筒部１５０の内径よりもやや大きい。シール部材４００は、図４（ｂ）に示すように、窓本体部３１０と円筒部１５０との間に設けられる。シール部材４００により、窓本体部３１０と円筒部１５０の隙間からトナーが漏れることを抑えることができる。シール部材４００は、弾性を有する材料から形成されている。例えば、シール部材４００は、図３に示すように、リング形状を有している。
【００５２】
窓部材３００は、図４（ａ），（ｂ）に示すように、窓本体部３１０が円筒部１５０に挿入され、トナーエンプティ窓３１１が貫通孔１１２の内側に配置される。窓フレーム３２０は、円筒部１５０の右側の縁に接触している。
【００５３】
延部２２０は、左右方向において、窓部材３００に対して第１壁１１０と反対側に設けられる。第１壁１１０の外側面と延部２２０との間に、窓部材３００は設けられる。これにより、窓部材３００は、第１壁１１０の外側面と延部２２０とにより支持される。延部２２０は、本体部２１０から第１壁１１０の外側面に沿って、貫通孔１１２に向かって延びている。具体的には、延部２２０は、延部２２０の下端から上方向に向けて凹む凹部２２０Ａを有する。凹部２２０Ａは、円弧状に凹んでいる。第２フレーム２００が第１フレーム１００の上に被さった状態で、凹部２２０Ａの円弧形状は、円筒部１５０の円周に沿っている。延部２２０は、第１延部２２１と、第２延部２２２と、連結部２２３とを有する。第１延部２２１は、本体部２１０から下側に延び、円筒部１５０の右側に位置する。連結部２２３は、第１延部２２１と第２延部２２２の上端部を繋ぐ。円弧状に凹む凹部２２０Ａは、第１延部２２１と第２延部２２２と連結部２２３とにより構成される。なお、図４（ｂ）に示す窓部材３００の左側の面は、第１壁１１０よりも左側に位置しても良い。つまり、図４（ｂ）に示す窓部材３００の左側の面は、左右方向において、第１壁１１０より突出していても良い。また、図４（ｂ）に示す窓部材３００の左側の面は、左右方向において、第１壁１１０と同じ位置であっても良い。
【００５４】
また、第１延部２２１と第２延部２２２には、それぞれ第１リブ２３０が設けられている。第１リブ２３０はそれぞれ、第１延部２２１と第２延部２２２から左右方向に延び、かつ、上下方向に延びている。各第１リブ２３０の上端は、本体部２１０に繋がっている。そして、各第１リブ２３０は、第１延部２２１および第２延部２２２の下端部まで延びている。このように、第１延部２２１と第２延部２２２に第１リブ２３０が設けられることで、第１延部２２１と第２延部２２２が補強される。これにより、第１延部２２１と第２延部２２２が破損するのを抑えることが可能となっている。
【００５５】
図４（ａ）に示すように、第１延部２２１は、左右方向に見て、第１窓フレーム３２１の一部と重なっている。つまり、第１窓フレーム３２１の一部は、第１壁１１０の外側面と第１延部２２１との間に配置され、第１壁１１０の外側面と第１延部２２１とで支持されている。
【００５６】
また、第２延部２２２は、左右方向に見て、第２窓フレーム３２２の一部と重なっている。つまり、第２窓フレーム３２２の一部は、第１壁１１０の外側面と第２延部２２２との間に配置され、第１壁１１０の外側面と第２延部２２２とで支持されている。
【００５７】
このように、窓フレーム３２０が第１壁１１０の外周面と延部２２０との間で挟まれることで、窓部材３００が円筒部１５０から抜けるのを抑え、窓部材３００を第１フレーム１００に固定することが可能となっている。なお、本実施形態では、延部２２０と窓部材３００の間に、第２フレーム２００の組み付けに支障がないように、隙間が設けられている。
【００５８】
そして、第１突出部３３０の先端部は、上下方向において、第１規制部１６１と第２規制部１６２の間に配置されている。また、第２突出部３４０の先端部は、上下方向において、第３規制部１６３と第４規制部１６４の間に配置されている。
【００５９】
このように、第１突出部３３０が第１規制部１６１と第２規制部１６２に挟まれ、第２突出部３４０が第３規制部１６３と第４規制部１６４に挟まれることで、窓部材３００の上下方向の動きが規制されている。具体的には、例えば、窓本体部３１０が貫通孔１１２に沿って図４（ａ）の時計回りに回転しようとすると、第２規制部１６２に第１突出部３３０が当接し、第３規制部１６３に第２突出部３４０が当接するため、窓部材３００の回転が規制される。また、窓本体部３１０が貫通孔１１２に沿って図４（ａ）の反時計回りに回転しようとすると、第１規制部１６１に第１突出部３３０が当接し、第４規制部１６４に第２突出部３４０が当接するため、窓部材３００の回転が規制される。
【００６０】
次に、窓部材３００の取り付け方について説明する。
窓部材３００が筐体６に組み付けられる際には、まず、図５（ａ）に示すように、シール部材４００が円筒部１５０に配置される。そして、操作者がツマミ部３５０を持って、窓部材３００を、第１突出部３３０を上に、第２突出部３４０を下に向けた状態で、窓本体部３１０をシール部材４００に載せる。このとき、第２突出部３４０は、第２リブ１７０の先端面１７１Ａに載せられ、かつ、第１突出部３３０は第１フランジ部１１１の凹部１１１Ａに載せられる。
【００６１】
そして、図５（ｂ）に示すように、操作者は、窓部材３００を図５（ｂ）における時計回りに回転させる。このとき、第２突出部３４０の後側には、第２リブ部１７２が配置されている。このため、操作者が窓部材３００を図５（ｂ）における反時計回りに回転させると、窓部材３００が第２リブ部１７２に当たる。これにより、操作者が、窓部材３００を図５（ｂ）における反時計回りに回転させることを避け、図５（ｂ）における時計回りに回転させることを促す。このように、第２リブ部１７２が設けられることで、操作者が窓部材３００を回転させる方向を間違えるのを抑えることができる。
【００６２】
窓部材３００を図５（ｂ）における時計回りに回転させると、第２突出部３４０が当たる面が、先端面１７１Ａから傾斜面１７３Ａに切り替わる。これにより、窓部材３００が傾斜面１７３Ａに沿って徐々に右側から左側へ移動していくので、窓本体部３１０がシール部材４００の内側を通って円筒部１５０の内側へ入っていく。つまり、傾斜面１７３Ａは、窓部材３００の取り付けをガイドする。
【００６３】
このように、先端面１７１Ａと傾斜面１７３Ａとが、窓部材３００の回転をガイドすることで、窓本体部３１０がシール部材４００の内側に挿入されやすくなる。
【００６４】
また、操作者が窓部材３００を図５（ｂ）における時計回りに回転させているとき、第２規制部１６２の第２面１６２Ｂがツマミ部３５０から所定距離離間しているため、ツマミ部３５０が第２規制部１６２に干渉しない。
【００６５】
そして、図５（ｃ）に示すように、第２突出部３４０が第４規制部１６４を通過すると、第２突出部３４０は、第３規制部１６３と第４規制部１６４の間に嵌り込む。また、第１突出部３３０も、第１規制部１６１と第２規制部１６２の間に嵌り込む。これにより、窓部材３００の窓本体部３１０全体が円筒部１５０に入り込む。
【００６６】
次に、操作者は、第２フレーム２００を第１フレーム１００に被せて、第１フレーム１００と第２フレーム２００を互いに固定する。
【００６７】
以上のように構成された現像カートリッジ１の作用および効果について説明する。
窓部材３００の一部が第１壁１１０の外側面と延部２２０との間に配置されることで、窓部材３００が第１壁１１０の外側面と延部２２０に支持される。このため、窓部材３００を支持するための構成が第１フレーム１００に設けることが難しい場合であっても、第２フレーム２００の延部２２０により窓部材３００を支持することができる。
【００６８】
特に、本実施形態のように、貫通孔１１２が、撹拌部材５の軸部５１と第２フレーム２００との間の部分に設けられている場合、窓部材３００を支持するための構成を軸部５１と第２フレーム２００の間に設け難いため、本実施形態の構成が有効である。
【００６９】
そして、延部２２０は、延部２２０の下端から上方向に向けて凹む凹部２２０Ａを有する。凹部２２０Ａは、円弧状に凹んでいる。第２フレーム２００が第１フレーム１００の上に被さった状態で、凹部２２０Ａの円弧形状は、円筒部１５０の円周に沿っている。このため、延部２２０がトナーエンプティ窓３１１にかかって、トナーエンプティ窓３１１を通る光を延部２２０で遮るのを抑えることができる。
【００７０】
また、延部２２０は、第１延部２２１と第２延部２２２とを備える。第１窓フレーム３２１は、第１延部２２１と第１壁１１０の外側面とで挟まれ、第２窓フレーム３２２は、第２延部２２２と第１壁１１０の外側面とで挟まれているので、第１延部２２１または第２延部２２２とのいずれか一方で窓フレーム３２０を挟む構成に比べ、窓部材３００が傾きにくく、窓部材３００をしっかりと第１フレーム１００に固定することができる。
【００７１】
以上、本開示の実施形態について説明したが、本開示は前記実施形態に限定されるものではない。具体的な構成については、本発明の趣旨を逸脱しない範囲で適宜変更が可能である。
【００７２】
本実施形態では、窓部材３００の窓フレーム３２０が窓本体部３１０の全周にわたって設けられていたが、窓フレームの構成はこれに限定されるもではない。例えば、窓フレームは、窓本体部３１０から前方へ延びる第１窓フレームと、窓本体部３１０から後方へ延びる第２窓フレームとから構成され、窓本体部３１０の周方向における一部にのみ設けられていてもよい。
【００７３】
本実施形態では、規制部１６０が、第１突出部３３０を挟む第１規制部１６１および第２規制部１６２を有する。また、規制部１６０が、第２突出部３４０を挟む第３規制部１６３および第４規制部１６４を有しているが、規制部の構成はこれに限定されるものではない。規制部は、窓部材３００の回転を抑えることができればよく、例えば、第１規制部１６１と第３規制部１６３のみから構成されていてもよい。また、第２規制部１６２と第４規制部１６４のみから構成されていてもよい。また、規制部は、第１規制部１６１と第２規制部１６２のみから構成されていてもよい。また、第３規制部１６３と第４規制部１６４のみから構成されていてもよい。
【符号の説明】
【００７４】
１      現像カートリッジ
２      現像ローラ
５      撹拌部材
６      筐体
１００  第１フレーム
１１０  第１壁
１２０  第２壁
１６０  規制部
１７０  第２リブ
１７３Ａ  傾斜面
２００  第２フレーム
２２０  延部
２２１  第１延部
２２２  第２延部
２３０  第１リブ
３００  窓部材
３１０  窓本体部
３２０  窓フレーム
３２１  第１窓フレーム
３２２  第２窓フレーム
３３０  第１突出部
３４０  第２突出部
Ｘ１    第１軸
Ｘ２    第２軸
【図１】
0006341106.tif 000002
【図２】
0006341106.tif 000003
【図３】
0006341106.tif 000004
【図４】
0006341106.tif 000005
【図５】
0006341106.tif 000006